(57)【要約】      （修正有）【課題】フローセル本体の形成と同時に光案内部材をフローセル本体内部に形成する。【解決手段】フローセルのフローセル本体２０は、二つの端部間に延びる光案内部材２８と、二つの端部にそれぞれ近接して配置された二つの端部インターフェース４０とを備える。光案内部材２８は、流体を受ける貫通穴３０を画成する。各端部インターフェース４０は、光伝送部材（光ファイバ）および流体伝導部材（毛管）を有するインターフェースハウジング４２を備える。二つの端部インターフェース４０は、二つの端部クランプ止め部材１２によって、フローセル本体２０の二つの端部に締結される。各端部インターフェース４０は各端部と整合する。流体伝導部材は貫通穴３０と流体連通する。光伝送部材は貫通穴３０と光連通する。【選択図】図４
2011169904.tif 000002
【特許請求の範囲】
【請求項１】
流体試料を収容すると共に、分析のため流体試料を光線で照射するフローセルにおいて、
内面を有する穴と、第一の端部と、第二の端部とを有する貫通穴が形成された通路を含むフローセル本体と、
該フローセル本体の前記通路に近接して配置された光案内部材と、
前記フローセル本体の前記第一の端部に近接して配置された第一の端部インターフェース及び前記フローセル本体の前記第二の端部に近接して配置された第二の端部インターフェースであって、その各々が光伝送部材を備える、前記第一の端部インターフェース及び前記第二の端部インターフェースと、
前記フローセル本体又は前記第一又は第二の端部インターフェースの１つに配置された入口及び出口の流体伝導部材と、を備える、フローセル。
【請求項２】
請求項１のフローセルにおいて、前記第一の端部インターフェース及び前記第二の端部インターフェースにそれぞれ相応する第一の端部クランプ止め部材及び第二の端部クランプ止め部材であって、前記第一の端部インターフェース及び前記第二の端部インターフェースの各々を前記フローセル本体の第一の端部及び第二の端部にかつ該端部と整合するようにそれぞれ締結する前記第一の端部クランプ止め部材及び第二の端部クランプ止め部材とを更に備える、フローセル。
【請求項３】
請求項２のフローセルにおいて、前記第一の端部クランプ止め部材及び前記第二の端部クランプ止め部材の各々が、前記第一の端部インターフェース及び前記第二の端部インターフェースを前記フローセル本体に機械的に締結する締結具を受け入れる穴を有する、フローセル。
【請求項４】
請求項１のフローセルにおいて、前記光案内部材が、前記流体試料の屈折率よりも小さい屈折率を有する非結晶フルオロポリマーで出来ている、フローセル。
【請求項５】
請求項１のフローセルにおいて、前記通路を前記入口及び出口流体伝導部材のそれぞれ１つと流体的に連通させる形態とされた少なくとも１つの内側流体通路を更に備える、フローセル。
【請求項６】
請求項１のフローセルにおいて、前記フローセル本体がポリエーテルエーテルケトンで出来ている、フローセル。
【請求項７】
請求項１のフローセルにおいて、前記光案内部材がテトラフルオロエチレンを有する過フッ素−２，２−ジメチル−１，３−ジオキソールの非結晶共重合体で出来た管状部材である、フローセル。
【請求項８】
請求項１のフローセルにおいて、前記光案内部材が近接するように配置された前記フローセル本体がハウジング内に配置される、フローセル。
【請求項９】
請求項１のフローセルにおいて、前記光伝送部材が光ファイバである、フローセル。
【請求項１０】
請求項１のフローセルにおいて、前記流体伝導部材が毛管である、フローセル。
【請求項１１】
請求項１のフローセルにおいて、前記インターフェースハウジングが、前記光伝送部材及び前記流体伝送部材を捕捉するポリエーテルエーテルケトンのオーバ成形品である、フローセル。
【請求項１２】
請求項１のフローセルにおいて、前記光案内部材が、前記通路の前記内面に配置されたテトラフルオロエチレンを有する過フッ素−２，２−ジメチル−１，３−ジオキソールの非結晶共重合体の被覆である、フローセル。
【請求項１３】
請求項１のフローセルにおいて、前記光伝送部材が透明な窓部である、フローセル。
【請求項１４】
請求項１のフローセルにおいて、前記通路が溶融二酸化ケイ素管にて形成され、前記光案内部材が前記通路の外面に配置されたテトラフルオロエチレンを有する過フッ素−２，２−ジメチル−１，３−ジオキソールの非結晶共重合体の被覆である、フローセル。
【請求項１５】
フローセルの製造方法において、
各々が光伝送部材と、流体伝導部材と、前記光伝送部材及び前記流体伝導部材の各々を捕捉するインターフェースハウジングとを有する第一及び第二の端部インターフェースを形成するステップと、
内面を有する貫通穴を含む通路を形成することと、
前記フローセル本体の前記通路に近接して光案内部材を配置することと、によりフローセル本体を形成するステップと、
前記第一の端部インターフェース及び前記第二の端部インターフェースを前記フローセル本体に固着するステップと、を備える、製造方法。
【請求項１６】
請求項１５の方法において、前記第一及び前記第二の端部インターフェースを形成する前記ステップが、
前記ポリエーテルエーテルケトンを射出成形可能な温度までポリエーテルエーテルケトンを加熱することと、
前記光伝送部材及び前記流体伝導部材をフローセルの端部インターフェース成形工具内に配置することと、
前記加熱したポリエーテルエーテルケトンを前記フローセルの端部インターフェース成形工具内に射出することと、
前記射出成形したポリエーテルエーテルケトンを冷却することと、を備える、方法。
【請求項１７】
請求項１６の方法において、前記光伝送部材が光ファイバを備え、前記流体伝導部材が毛管を備える、方法。
【請求項１８】
請求項１６の方法において、前記光案内部材がテトラフルオロエチレンを有する過フッ素−２，２−ジメチル−１，３−ジオキソールの非結晶共重合体で出来た管状部材である、方法。
【請求項１９】
請求項１６の方法において、前記フローセル本体がポリエーテルエーテルケトンで出来ている、方法。
【請求項２０】
請求項１６の方法において、前記通路が溶融二酸化ケイ素管にて形成され、前記光案内部材が前記通路の外面に配置されたテトラフルオロエチレンを有する過フッ素−２，２−ジメチル−１，３−ジオキソールの非結晶共重合体の被覆である、方法。
【請求項２１】
請求項１６の方法において、前記光案内部材が、前記通路の前記内面に配置されたテトラフルオロエチレンを有する過フッ素−２，２−ジメチル−１，３−ジオキソールの非結晶共重合体の被覆である、方法。
【請求項２２】
流体試料を分析する装置において、
光源と、
光線を感知する感知装置と、
分析のため流体試料を前記光源からの光線で照射すべく流体試料を収容するフローセルを含むフローセルアセンブリと、を備え、
前記フローセルが、
内面を有する貫通穴が形成された通路を含むフローセル本体と、
前記フローセル本体の前記通路に近接して配置された光案内部材と、
各々が光伝送部材を備える第一の端部インターフェース及び第二の端部インターフェースと、
前記フローセル本体又は前記第一又は第二の端部インターフェースの一方に配置された入口及び出口流体伝導部材と、を備える、装置。
【請求項２３】
請求項２２の流体試料を分析する装置において、前記光案内部材がテトラフルオロエチレンを有する過フッ素−２，２−ジメチル−１，３−ジオキソールの非結晶共重合体から成る管状部材である、装置。
【請求項２４】
請求項２２の流体試料を分析する装置において、前記フローセル本体がポリエーテルエーテルケトンで出来ている、装置。
【発明の詳細な説明】
【技術分野】
【０００１】
本発明は、全体として、溶液中の絶対的に少量の分析物質を分光分析するための測光装置及び設備に関し、より具体的には、フローセルを通る光に対して非結晶のフルオロポリマー材料を使用するフローセルアセンブリに関する。
【背景技術】
【０００２】
高速液体クロマトグラフィ（「ＨＰＬＣ」）、毛管液体クロマトグラフィ（毛管ＬＣ又は「ＣＬＣ」）、毛管電気泳動（ＣＥ）及び毛管電子クロマトグラフィ（「ＣＥＣ」）用の光吸収検出器は、全体として、光源と、波長範囲を選択する手段と、フローセルと、及びフローセルを透過する光の量を測定する少なくとも１つの光センサという、４つの基本的な構成要素を備えている。この装置は、平行な光路が二重ビームとして利用される計器となるように構成することができる。フローセルは、典型的に、分析すべき試料及び光が通過する中空の管の形態をしている。また、これら４つの基本的な構成要素は、典型的に、互いに対して所定の構成の形態とされている。これらの型式の検出器の場合、分析すべき試料がフローセルを通るとき、フローセルを通じて透過する光の量は、ビアの法則（Ｂｅｅｒ‘ｓ  ｌａｗ）に従って減少することが公知である。
【０００３】
従来のフローセルにおいて、光は、典型的に、中空の管の長軸線に沿って又は長軸線に対して垂直に、２つの方法の一方にてフローセルを通って進む。その何れの場合でも、すなわち、光が長軸線に対して平行に導入されるとき、又は長軸線に対して垂直に導入されるとき、検出器又は光センサの出力は、通常、試料の濃度及び光路に比例する吸収量にて表わされる。このように、光路が長ければ長い程、所定の試料濃度に対する検出器の出力信号はより大きくなる。しかし、従来のフローセルの場合、フローセルの横壁を打撃する光は、壁における吸収及び散乱により部分的に失われる。この失われた光は、フローセルの光エネルギの処理能力を低下させ、これにより、検出器の出力信号におけるノイズを増大させる。
【０００４】
フローセルの横方向寸法又は直径は、横壁を打撃する光の量を少なくするように増すことができるが、このことは、フローセルの容積を増すことになる。しかし、多くの場合、試料の量は制限され、このため、最適なセルは、最小の容積を有するもの、すなわち、断面積又は直径が小さいものであることを意味する。更に、セルの大きい容積は、試料のピーク値を拡げ又は分散させると共に、クロマトグラフィの分解能を低下させる効果を有する。このうように、実際問題として、上記の効果は、従来のフローセルの経路長さ及び横方向寸法を制限することになる。
【０００５】
例えば、水のような、一般的なクロマトグラフィ溶媒よりも小さい屈折率を有するポリマーにて被覆された流路を有するフローセルが米国特許第５，６０８，５１７号に記載されている。かかるフローセルの場合、フローセル内に導入される光は、内反射され又は流路長さに沿って下方に供給される。しかし、かかるフローセルの場合、フローセルに対するハウジングの内壁に十分均一に接着したポリマー層を得ることは困難である。このため、ポリマー層がハウジングの内壁から分離したり又はその内壁から層剥離することが生じる。この層剥離効果の結果、流体路は歪み、光路及びフローセル内の流体の流れを歪ませ、更に、流体がポリマーとハウジングとの間を流れる状態を形成する。
【０００６】
また、本発明の譲受人が所有する米国特許第５，１８４，１９２号には、例えば、水のような、一般的なクロマトグラフィ溶媒の屈折率よりも小さい屈折率を有する非結晶のフルオロポリマーにて形成された内壁を有するフローセルが開示されている。本明細書に記載したフローセルは、長い経路長さを有するフローセルを生じさせることができるが、かかるフローセルを製造するのに必要な方法及び形成されるフローセルは、特定の用途には、適していない。
【０００７】
更に、これらの基準化したフローセルの何れかを使用する装置又はシステムは、その装置又はシステムを構成するその他の構成要素に対してフローセルが正確に配置されるような構成としなければならない。すなわち、これらのフローセルは、光源と光センサ又は検出器との間の光路内に正確に配置しなければならない。既知のフローセルの位置が臨界的であることは、より大きい信頼性及びより大きい分析の再現性を提供する、連続的な最適の整合状態が必要とされるからである。更に、かかる装置又は設備の構造及び設計により必然的に制限される、例えば、クロマトグラフィカラムとフローセルとの間の流路長さを最小にすることが一般に好ましい。このため、上述したフローセルは、長い経路長さを実現することが可能であるにしても、これらのフローセルは、典型的に、従来のフローセルと同一の仕方にて検出装置又は設備の他の構成要素に対して配置され、このことは、全体として、クロマトグラフィの観点からして、最適な配置ではない。
【０００８】
米国特許第４，８６７，５５９号に記載されたフローセルは、内部ボアを低屈折率のフッ素繊維にて被覆し得るように毛管を通るクラッディング液体を有している。このフッ素繊維は、フルオリナート（Ｆｌｕｏｒｉｎｅｒｔ）（登録商標）又はクリトックス（Ｋｒｙｔｏｘ）（登録商標）という商標名で一般に入手可能なフッ素油のような、粘性、不活性、混和不能な非浸潤化材料とて開示されている。しかし、この構成は、実際上すなわち使用するとき、極めて満足し得ないものである。この構成は、クラッディング液体を毛管ボアに供給し、また、ボアを被覆した後に、余剰な流体を回収するポンプ及び配管を含む、複雑な流体クラッディングの取扱い機構を必要とする。クラッディング液体による被覆の後に、ボアに供給しなければならない試料の供給を妨害しない一方にて、クラッディング流体をボアに供給することを許容する、インターフェース及びシールを具体化しなければならない。更に、余剰なクラッディング流体を供給し且つ引出すためには、流体の粘度及び毛管の小さいボアは、毛管上に不規則的な被覆を生じさせる可能性があるから、入念な流れの較正を必要とする。このことは、フローセルの複雑さ及び費用を著しく増すことになる。
【０００９】
更に、クラッディング流体は、ボアの内面に接着してはならず、このため、クラッディング流体がボア内に沈着するのを防止するためには、分析物質を導入する直前に、その流体を導入しなければならない。更に、クラッディング流体は、ボアの内面を完全に被覆することはできず、クラッディングに空隙を残し、このことは、光信号の散乱及び信号の減衰を生じさせることになる。更に、生じる可能性のある別の問題点は、試料がクラッディング流体にて汚れることであり、このことは、試料の純粋な成分を集める可能性を妨げ、このことは、質量分光法のような、下流の分析技術を妨げる可能性がある。
【先行技術文献】
【特許文献】
【００１０】
１．特開昭６２−０１５４３９号公報
２．特開平０９−１７０９８１号公報
３．特開平０５−１９６５６５号公報
４．特開平１０−０５８５５８号公報
５．特開平０８−１２９００３号公報
６．国際公開第９７／２８４３５号
７．ALTKORN R et al., Waveguide Capillary Cell for Low-Refractive-Index Liquids,
Appl Spectrosc, 1997年10月  Vol. 51, No. 10, Pages 1554-1558
【発明の概要】
【発明が解決しようとする課題】
【００１１】
本発明は、上述した従来技術が有する問題点の少なくとも一部を解消することを目的とする。
【課題を解決するための手段】
【００１２】
本発明は、高光学的処理量、長い光路長さ及び小さい断面積を有するモジュラーフローセルを提供するものである。モジュラーフローセルの形態は、液体及び光の入力、液体及び光の出力に対する遠隔ポート又は接続部を有している。このため、モジュラーフローセルは、クロマトグラフィ装置又はシステム間にてクロマトグラフィ機能を果たすのに最適な位置で所要の形態とすることができる。フローセルの構成要素を形成し且つ例えば、モジュラーフローセルの構成要素を製造するとき、２つの材料又は物を共に接続するための新規な方法が記載されている。かかるフローセルは、搬送管の壁材料と独立的に、試料が充填された管又は毛管に沿って光を軸方向に案内することを可能にする。本発明のモジュラーフローセルは、測定装置又はシステムのシステム構成要素に対して最適に配置され且つ従来技術の装置と比較して容易に設置できる。
【００１３】
本発明の１つの面によれば、フローセルは、各々がそれぞれの端部インターフェースが固着された２つの端部を有するフローセル本体を備えている。このフローセルは、モジュラーフローセルアセンブリの一部を形成する形態とされている。
【００１４】
フローセル本体は、内面を有する貫通穴が形成された通路を備えている。例えば、一般的なクロマトグラフィ溶媒の屈折率よりも小さい屈折率を有する透明なフルオロポリマー材料のような光案内材料は、フローセル本体に光を案内する貫通穴を形成し得るように、通路に近接する位置に配置される。より具体的な実施の形態において、フローセル本体は、ハウジング内に含まれている。フローセル本体内で光を案内する材料は、例えば、通路の内面又は外面の上に付着されたテフロン（登録商標）ＡＦか、又は通路と機械的に係合するテフロン（登録商標）ＡＦの押出し成形管状部材の被覆かの１つである。何れの場合でも、光を案内する材料と通路の境界壁との間に液圧シールが確立され、このため、液体試料は、貫通穴をバイパスせずに、内面における光案内材料の外側に沿って流れる。この通路は、必要な機械的強度及び流体シールを提供することのできる多数の材料の１つにて形成され、より具体的には、フローセル本体と端部インターフェースの各々との間のインターフェースに流体シールを形成することのできる材料を含む。かかる材料は、例えば、ポリエーテルエーテルケトン（ＰＥＥＫ）を含む。
【００１５】
端部インターフェースの各々は、光伝送通路と、該通路を貫通するように配置された流体流路とを有するインターフェースハウジングを備えている。該光伝送通路は、端部インターフェースハウジングの各々内に配置され、端部インターフェースは、フローセル本体に対して固着され、端部インターフェースの各々内の光伝送通路の一端がフローセル本体の貫通穴と光学的に連通するようにされている。フローセル本体の各端部は、また、端部インターフェースの各々の流体流路の一端をフローセル本体の貫通穴と結合する外方に伸びる流体路を有する形態とされている。
【００１６】
端部インターフェースの各々は、光伝送通路として光ファイバを有し、また、流体流路として石英毛管のような毛管を有している。一例としての実施の形態におけるインターフェースハウジングはＰＥＥＫで出来ている。本発明のより具体的な局面において、インターフェースハウジングは、一体的な構造体を効果的に形成し得るように光ファイバ及び毛管が配置されるＰＥＥＫのオーバ成形品である。より具体的には、この成形方法は、ＰＥＥＫが毛管及び光ファイバの外面に緊密に係合し（例えば、接着剤で接合し又は摩擦係合するように）、これにより、端部部材ハウジングと光ファイバの各々及び毛管との間に強力な機械的接続及び液圧シールを形成するような仕方にて行われる。更に、毛管及び／又は光ファイバは、ハウジングに対する機械的な接合を向上させる表面加工部分をオーバ成形品の内部に含めることができる。光ファイバ及び毛管の自由端は端部インターフェースから外方に伸びる形態とされている。
【００１７】
本発明によるフローセルは、流体試料を分析する分析物質測定装置内に一体化されている。該装置は、感知装置と、光源と、本発明によるフローセルを有するフローセルアセンブリと、該フローセルアセンブリを光源及び感知装置の各々に光学的に相互に接続し且つフローセルを流体装置と流体的に相互に接続する相互接続部とを備えている。かかる装置において、フローセルアセンブリは、光源及び感知装置の各々と独立的に且つこれらから隔離可能に（例えば、電気的に隔離される）位置に配置することができる。このように、従来技術の装置と相違して、本発明のフローセルアセンブリは、１つの信号出力を確実に且つ再現可能に提供し得るよう所定の光学的形態を維持すべくその他の装置の光学的構成要素に近接する位置に正確に配置する必要はない。更に、フローセルアセンブリを物理的に且つ電気的に独立させることができるため、このフローセルは、現場で容易に交換し得るようにモジュラー式の形態とすることができる。
【００１８】
モジュラー式のフローセルアセンブリは、上述したフローセルを備えており、該フローセルは光ファイバ相互接続部と毛管の相互接続部とを含むフレーム内に取り付けられる。光ファイバの相互接続部は端部インターフェースの各々から外方に伸びる光ファイバの自由端は光源及び感知装置の各々に設けられた光ポートに相互に接続する。端部インターフェースから外方に伸びる毛管の自由端を流体源及び流体吸収体にそれぞれ流体的に相互接続するため当該技術分野の当業者に公知の多数の技術の任意のものにより、毛管の相互接続が行われる。
【００１９】
本発明によるフローセルを内蔵するアセンブリ内の光源は、幅の広いスペクトル範囲又は狭小な帯域に亙って所定の仕方にて出力を提供する電磁放射線源である。１つの一例としての実施の形態において、光源は約１９０ｎｍ乃至約８００ｎｍの範囲を包含するスペクトル放出分を有する重水素ランプを含む光源である。
【００２０】
本発明によるアセンブリ内の感知装置は、分析される流体試料を通る光の伝送量を感知すると共に、その伝送量を表わす出力を提供する回折格子及びフォトダイオード列を備えている。
【００２１】
使用時、試料源（例えば、クロマトグラフィカラム）からの流体試料は一端のインターフェースにて流路又は毛管を通って流れ、光案内材料の内面により形成されたフローセル本体の貫通穴内に入る。流体試料は貫通穴から流れ、第二の端部インターフェースの流路又は毛管から出て、排液集め手段その他の下流の工程に達する。このようにして、静止又は流れる流体試料が分析目的のため貫通穴内に配置される。一端のインターフェースから出る光伝送通路又は光ファイバの一端は、光源に光学的に相互に接続され、放射線又は光は光伝送通路を通って流れ、フローセル本体部材の貫通穴に達する。上述したように、この光は、本体の光案内材料により伝送され、光は貫通穴の長軸線に対して実質的に平行にセルを横断する。これに対応して、第二の端部インターフェースから外方に伸びる光伝送通路又は光ファイバの他端は、感知装置により光学的に相互に接続され、セルの出口を縦断した放射線又は光は、セル本体の貫通穴から出て且つ感知装置内へと進む。
【００２２】
本発明の特徴は、光源及び感知装置のような装置の構成要素内でモジュールとして容易に取り付けられるモジュラー式フローセルを提供することを含む。フローセル及び該フローセルが配置される装置又はシステムは、光源及び光センサ又は検出器の何れかから短い距離にて離して配置することができ、更に、電気的に隔離することができる。本発明によるかかるフローセル及び測定装置は、従来技術の装置と比べて製造がより経済的で且つより容易である。更に、上述したフローセル及び関連する装置並びにシステムの製造その使用方法は著しく簡略化される。端部インターフェースは、経済的でしかも容易に操作可能なオーバ成形法により形成される。形成されるフローセルは丈夫で且つ耐久性のある構造となる。この製造方法は、異なる経路長さを有するフローセルを容易に製造することを可能にする。
【００２３】
本発明の上記及びその他の特徴並びに利点は、幾つかの図面の全体を通じて相応する部品を同様の参照番号で表示する添付図面に関する、以下の詳細な説明から一層明らかになるであろう。
【図面の簡単な説明】
【００２４】
【図１】本発明によるフローセル本体の側面図である。
【図２】図１の線２−２に沿ったフローセルの断面図である。
【図３】図１のフローセルの分解斜視図である。
【図４】図１のフローセルの一部分の断面図である。
【図５Ａ】本発明による流体路（深さが誇張）の周りのフローセル本体の一部分の斜視図である。
【図５Ｂ】本発明によるフローセルの端部インターフェースの斜視図である。
【図６Ａ】本発明によるフローセルの端部インターフェースの１つの代替的な実施の形態の断面図である。
【図６Ｂ】図３の線６Ｂ−６Ｂに沿った端部インターフェースの歪み除去手段の部分断面図である。
【図７】本発明によるモジュラー式フローセルを有する分析装置の検出器部分の分解図である。
【図８】本発明のフローセルの端部インターフェースを形成する金型／工具の断面側面図である。
【図９】図７の金型／工具の端面図である。
【図１０】本発明による改良されたフローセルの１つの代替的な実施の形態の側面断面図である。
【図１１】本発明による改良されたフローセルの更に別の代替的な実施の形態の側面断面図である。
【発明を実施するための形態】
【００２５】
次に、図１乃至図４を参照すると、本発明によるフローセル１０は、フローセル本体２０と、２つの端部インターフェース４０と、該２つの端部インターフェース４０をセル本体２０と一定の機械的係合状態に保持する２つのクランプ止め部材又はフランジ１２とを備えている。図４に最も明確に示すように、セル本体２０は、この一例としての実施の形態において、ステンレス鋼で出来たハウジング２４を備えている。第一の内側材料又は内側層２６がハウジング内で通路２５の内面に配置されている。内側の光案内材料２８が第一の内側材料又は内側層２６内に配置されている。ハウジング２４、第一の内側層２６及び内側の光案内材料２８は、セル本体２０の長軸線に沿って伸びる貫通穴３０を形成し得る形態とされている。当該技術分野で既知であるように、作動時、分析すべき流動流体又は静止流体がフローセル１０の貫通穴３０内に配置される。
【００２６】
一例としての実施の形態において、第一の内側材料又は内側層２６は、第一の内側層がハウジングの通路の内面と固定状態に係合するようにハウジング２４の通路２５内に引込まれた管状のＰＥＥＫ部材である。該ＰＥＥＫ管は、約１．５７５ｍｍ（約０．０６２インチ）（又はより大きい）外径と、約０．５０８ｍｍ（約０．０２０インチ）の内径とを有する。ハウジングの通路２５の相応する内径は、固定状態の係合を容易にし得るようにＰＥＥＫ管の外径よりも僅かに小さい。一例としてＰＥＥＫについて説明するが、過フッ化アミン（ＰＦＡ）のような同様の密封性質を有する、化学的に不活性なその他の材料を使用することができる。
【００２７】
この一例としての実施の形態における光案内材料２８は、所望のスペクトル範囲（例えば、紫外線から可視光）に亙ってセル本体の貫通穴３０内で液体試料から成る液体の屈折率以下の屈折率を有する。この一例としての実施の形態において、光案内材料２８は、テフロン（登録商標）ＡＦ１６００又は２４００という名称で販売されているテトラフルオロエチレンを有する過フッ素−２、２−ジメチル−１、３−ジオキソール（ｄｉｏｘｏｌｅ）の非結晶共重合体のような非結晶フルオロポリマーである。ナトリウムＤラインにおけるテフロン（登録商標）ＡＦ１６００フルオロポリマーの屈折率は１．３１であり、ＡＦ２４００フルオロポリマーの屈折率は１．２９である。比較例として、この波長における水の屈折率は１．３３３である。紫外線波長において、水及びフルオロポリマーの双方の屈折率は増大するが、水の屈折率はより大きい値を保つ。
【００２８】
光案内材料２８は、多数の技術の任意のものを使用して第一の内側層又はＰＥＥＫ管２６の内面の上に且つ該内面に沿って配置される。光案内材料２８及びこれに相応してセル本体の貫通穴３０の壁により形成された内壁又は内面は、その光学的性質を向上させ得るように平滑又は鏡状であることが好ましい。このようにして、貫通穴３０の一端に向けられる光又は放射線は、貫通穴の下方に且つ該貫通穴の長さに沿って反射される、すなわち、換言すれば、その光は伝送される。かかる形態において、光は、光案内材料２８を通じて光を顕著に損失することなく貫通穴３０を通じて伝送する。
【００２９】
１つの実施の形態において、光案内材料２８は、第一の内側層２６の内面と機械的に係合するように選ばれた外径を有する管状の押出し成形テフロン（登録商標）ＡＦのような光案内材料から成る押出し成形管である。一例としての実施の形態において、上述したように、第一の内側層２６は、内径約０．４８３ｍｍ（約０．０１９インチ）のＰＥＥＫ管である。光案内材料２８から成る押出し成形管は外径約０．５０８ｍｍ（約０．０２０インチ）であり、第一の内側層２６から成るＰＥＥＫ管の内径と摩擦可能に係合する。光案内材料２８の厚さは、ＰＥＥＫ管の貫通穴を通じて内部に且つ下方に引出されるとき、顕著に変形しないように設定される。従って、内反射した光と関係した消散波の実質的に全てがフローセルハウジング２０に達するのが防止される。例えば、光案内材料２８から成る管状の押出し成形テフロン（登録商標）ＡＦ部材の肉厚は、約０．２５４ｍｍ（約０．０１０インチ）である。
【００３０】
この一例としての実施の形態において、テフロン（登録商標）ＡＦ管はＰＥＥＫの第一の内側層２６内に引込まれる。任意の余剰なテフロン（登録商標）ＡＦ管は、クリートを付け、最適には、セル本体構造体（ハウジング、ＰＥＥＫ管及びテフロン（登録商標）ＡＦ管）の面をラッピング加工して平滑な表面を提供するようにする。
【００３１】
１つの代替的な実施の形態において、光案内材料２８は、第一の内側層２６の内面に１つ又は２つ以上の非結晶フルオロポリマーの層を被覆し又は堆積させることにより形成される。この一例としての実施の形態において、第一の内側層２６は焼結フッ素繊維ＰＴＦＥである。次に、内面上に溶液の膜を残し得るようにフルオリナート（Ｆｌｕｏｒｉｎｅｒｔ）（登録商標）ＦＣ−７１という商標名で販売されているフルオロシランのような溶媒中に非結晶フルオロポリマーの溶液を流動させることにより、テフロン（登録商標）ＡＦフルオロポリマーを第一の内側層２６の内面に被覆する。膜から成る溶液をゆっくりと蒸発させ、これは低い圧力で行うことができ、及び／又は処理を速めるため僅かに加熱することができる。溶液中のテフロン（登録商標）ＡＦの濃度を保つことができる点で、また、蒸発時、何ら残留物を残さない点でフルオリナート（登録商標）溶媒のようなフルオロシラン溶媒が適当である。上記の被覆及び蒸発性堆積処理工程は、光案内材料２８に対し所望の厚さを実現するのに必要なだけ多数回、繰り返す。所望の厚さに達した後、フローセル本体２０は、非結晶フルオロポリマーのガラス遷移温度以上の温度（（登録商標名）ＡＦ２４００フルオロポリマーの場合２４０℃である）にて加熱する。この加熱により、フルオロポリマーは焼鈍され、第一の内側層２６の内面に接合される平滑で且つ透明な膜を形成する。好ましくは、被覆処理工程により形成された光案内材料２８の厚さは、伝送された光の幾つかの波長の少なくとも厚さに等しいものとする。このことは、内反射した光と関係した消散波の実質的な部分がフローセルハウジングに達し、そこで光が屈折、散乱又は吸収により失われることを防止する。
【００３２】
第一の内側層２６及び光案内材料２８がハウジング２４内で配置され且つ固着された後、両端面２２は、端面２２が互いに実質的に平行で且つ貫通穴３０の長軸線に対して垂直となるようにラッピング加工される。更に、端面２２は、各端部インターフェース４０との境界部にて流体の圧力に対して密封することのできる合わさり面を画定し得るように研磨する。
【００３３】
図５Ａにより明確に図示するように、各端面２２は、半径方向に伸びるへこみ部、すなわち、端部通路３２を含むように第一の内側層２６と光案内材料２８との領域内で機械加工される。端部通路３２は、半径方向に十分な距離だけ伸び、このため、各端部インターフェース４０における毛管４６の内側通路は、図４に一例として図示するように、本体部材の貫通穴３０と流体的に連通している。更に、端部通路３２の幅、深さ及び幾何学的配置は、流体が流動する目的のため十分な断面を提供し得るように確定される。流体通路３２は、レーザ融除、機械加工等のような当該技術分野の当業者に既知の多数の技術の任意のものを使用して形成可能であることが理解されよう。一例としての実施の形態において、通路３２の半径方向に伸びる部分は、幅約７６．２μｍ（約０．００３インチ）及び最小深さ約５０．８μｍ（約０．００２インチ）の垂直に伸びる側壁及び円弧状の底部を有するような形態とされるが、その他の代替的な形態も実現可能である。
【００３４】
図１乃至図４及び図５Ｂを再度参照すると、上述したように、フローセル１０は、各々がインターフェースハウジング４２と、光伝送部材と、流体伝導部材又は搬送管とを有する２つの端部インターフェース４０を含む。より具体的には、光伝送部材は、光ファイバ４４であり、流体伝導部材は、例えば、石英毛管のような毛管４６である。
【００３５】
光ファイバ４４及び毛管４６の各々は、インターフェースハウジング４２内に配置され且つ該インターフェースハウジングに固着されている。光ファイバ４４及び毛管４６は、これら構成要素とインターフェースハウジング４２との間に液圧シール又は圧力境界を形成するような仕方にて配置され、このため、フローセル本体の貫通穴３０内の流体試料が漏洩することはない。この光ファイバ４４及び毛管４６をインターフェースハウジング４２に固着する方法に関する詳細に関しては以下に説明する。
【００３６】
図４に最も明確に図示するように、光ファイバ４４はインターフェースハウジング４２内に配置され、このため、光ファイバ４４の一端４３は、端部インターフェース４０をフローセル本体に固着したとき、フローセル本体の貫通穴３０と光学的に相互に接続する。光ファイバ４４は、セル本体の貫通穴３０の少なくとも断面積を亙って伸びるような寸法とされている。これに相応して、毛管４６は、端面インターフェース４０をセル本体に固着したとき、毛管４６の流体路がセル本体２０内の端部通路３２と連通するように端部インターフェースハウジング４２内に配置される。図４には、セル本体２０の各端面２２内の端部通路３２がセル本体と同一側に配置された状態で図示されているが、流体流路、すなわち、端部通路３２の半径方向を同一にするということは必要とされない。
【００３７】
使用時、一端インターフェース４０の光ファイバ４４は、放射線源又は光源に光学的に相互に接続され、他端のインターフェースの光ファイバ４４は、感知装置に光学的に相互に接続される。同様に、一端インターフェースの毛管４６は、試料供給源に流体的に相互に接続され、他端インターフェースの毛管は、排出管又はその他の下流の工程に流体的に相互に接続される。従って、図１乃至図３に図示するように、光ファイバ４４及び毛管４６の部分４５は、端部インターフェースハウジング４２から外方に伸び、これらの部分、及び自由端をそれぞれ上述した仕方にて光学的に且つ流体的に相互に接続することができる。上記の配置は図７に図示されており且つ以下により詳細に説明する。
【００３８】
一例としての実施の形態において、端部インターフェースハウジング４２はＰＥＥＫから成形される。成形処理工程を介して一体的な構造体を形成し得るよう選んだ長さの光ファイバ及び毛管を金型内に配置する。以下に説明するように、成形処理工程は、光ファイバ及び毛管の外面をＰＥＥＫ内に捕捉し、機械的な相互接続部を形成し且つその間に液圧シールを形成し得るようにして行われる。
【００３９】
図６Ａを参照すると、端部インターフェース４０が多数要素構造型式のハウジング４２ａを含むことが本発明の範囲に属する。この実施の形態の場合、多数要素ハウジング４２ａは、例えば、ステンレス鋼のような１つの材料から成る外側部材６０ａと、ＰＥＥＫの内側部材６０ｂとを備えている。光ファイバ４４及び毛管４６は、ハウジングの内側部材６０ｂ内に配置される。更に、この実施の形態において、ハウジングの内側部材６０ｂから成るＰＥＥＫは、ハウジングの外側部材６０ａ、光ファイバ４４及び毛管４６の各々に接合される。このように、これら構成要素は、互いに機械的に固着され且つ液圧シールを形成する。ハウジングの外側部材は、硬化可能な樹脂又は溶融加工可能な樹脂のような色々な材料の任意のものとすることが可能であることが理解されよう。
【００４０】
インターフェースハウジング４２の合わさり端部４１は、図１乃至図４の一例としての実施の形態にて、上昇した面型式のフランジ付き面を有するものとして図示されており、フローセル本体２０の相応する端部２３は、平坦な面型式のフランジ付き面として図示されている。しかし、フローセル本体２０の相応する端部２３、４１及び端部インターフェース４０が上昇面又は平坦な面型の面の何れかを提供することは本発明の範囲に属するものである。
【００４１】
図６Ｂに関する一例としての実施の形態において、端部インターフェース２０の各々は、端部インターフェースハウジング４２の外面にて又はその外面付近にて光ファイバ４４及び毛管４６が構造的に破断する可能性から保護し又はその可能性を最小にし得るように歪み除去手段７０を備える形態とすることができる。歪み除去手段７０は、ＰＴＦＥシュリンク管スリーブ７２と、エチレンテトラフルオロエチレン（ＥＴＦＥ）外側スリーブ７４と、内側ＥＴＦＥスリーブ７６とを備えている。これらのスリーブは、端部インターフェースハウジング４２から伸びる光ファイバ４４の一部分及び毛管４６の周りにこの順序にて配置されている。更に、ＰＴＦＥシュリンク管スリーブ７２は、歪み除去手段７０が所定の位置に固着されるように端部インターフェースハウジング４２の外面に沿って伸びている。これと代替的に、歪み除去手段７０は、ＰＴＦＥシュリンク管スリーブ７２の周りに配置されたコイルばねを備えるようにしてもよい。
【００４２】
図１乃至図４を再度参照すると、上述したように、フローセル１０は、端部インターフェース４０をフローセル本体２０に固着し、光ファイバ４４及び毛管４６が端部通路３２及び貫通穴３０に対して一定で且つ所定の関係となるようにする２つのクランプ止めリング１２も備えている。クランプ止めリング１２の各々は、穴１４と、該穴の周りに中心があり、端部インターフェース４０の周りに配置されたへこみ領域１６とを含むディスク形状部材である。組み立てたとき、端部インターフェース４０の外筒５０を穴１４に通し、端部インターフェース４０のフェルール５２の一部をへこみ領域１６内に受け入れる。クランプ止めリングの各々は、ステンレス鋼、アルミニウム等のような材料を含む、所望の適用例の機械的負荷及び環境状態に適した材料にて製造する。穴１４は、外筒５０の周りにきちっと嵌まり締り嵌めし得る寸法とされている。図示しないが、端部インターフェース４０とフローセル本体２０とを光学的に且つ流体的に整合させるため、１つ又はより多数の止めピン又はその他の整合手段を使用することができる。
【００４３】
一例としての実施の形態において、へこみ領域１６は、端部インターフェースフェルール５２の円形の幾何学的形状と相応するように垂直方向に伸びる円形の側壁と、平坦な底部とを有している。フランジ１２の各々の端部インターフェースフェルール５２及びへこみ領域１６が直線状、多角形又は三角形のような多数の相補的な幾何学的形状の任意のものを備えることが本発明の範囲に属する。
【００４４】
図３に図示するように、クランプ止めリング１２及びセル本体の各々は、複数のねじ穴１３、２１を有している。ねじ穴１３、２１は、共通の軸線の周りでそれぞれリング１２の各々及びセル本体内に配置され、端部インターフェース４０がセル本体に固着されるとき、これらの穴が直線状となるようにする。一例としての実施の形態において、リング１２は、端部インターフェース４０をフローセル本体のねじ穴の雌ねじ（図示せず）によりセル本体２０に且つ該セル本体２０と整合状態に固着する。ねじは、リング１２の各々に設けられた穴１３、２１を通って進み、クランプ止めリングをねじを介してフローセル本体２０に取り付ける。しかし、その他の型式の金具（例えば、ナット及びボルト）を含む利用可能な多数の技術及びセル本体及び端部インターフェース４０を共に固着する接着剤等を含む任意の技術を使用してインターフェース４０の端部をセル本体２０の端部２２に固着することが本発明の範囲に属する。同様に、クランプ止めリングをフローセル本体に取り付けるとき、荷重を分配し得るよう波形座金等が使用可能であることを理解すべきである。
【００４５】
本発明によるフローセル１０は、多数の有利な利点を有する。１つの局面において、フローセル本体２０は、収束光学素子を交換せずに、適用例の効果として、セル本体の長さを調節することにより、経路長さを長くし又は短くし得るように容易に形成することができる。フローセルは、放射線源及び感知装置から電気的に隔離され、幾つかの測定技術における高電圧の印加が容易に実現可能であるように配置することができる。
【００４６】
図７に図示するように、液体クロマトグラフィ装置にて採用されるであろう分析物質の測定装置システム１００は、感知装置１１０と、光源１２０と、本発明によるフローセル１０を含むフローセルサブアセンブリ１３０とを備える形態とされている。フローセルアセンブリを光源及び感知装置の各々に光学的に相互に接続する手段がシース付き光ファイバ及び流体路の形態にて設けられている（図１乃至図６及び図７に詳細に図示しない全ての構成要素又は機能部分に対する関連する説明を参照すべきである）。一例としての実施の形態において、モジュラーフローセルサブアセンブリ１３０は、光ファイバ１４０により感知装置１１０及び光源のハウジング１２４内に設けられた光出力ポート１２２を介して光源１２０に光学的に相互に接続される。かかる装置において、フローセルサブアセンブリ１３０は、現場にて容易に交換可能であるモジュラー式フローセルサブアセンブリを提供する。
【００４７】
フローセルサブアセンブリ１３０は、フレーム１３２内に取り付けられた上述したフローセルを備えている。該フレームは、光ファイバの結合手段と毛管の結合手段とを備えている。光ファイバの結合手段は、各端部インターフェース４０の外方に伸びる光ファイバ４４の自由端並びに光源及び感知装置それぞれに対する光学的相互接続部に結合し得る形態とされている。図７に図示した実施の形態において、一端のインターフェース４０の光ファイバ４４の自由端は、フェルール型継手１３４（当該技術分野で公知のＳＭＡコネクタのような）に光学的に相互に接続され、他端のインターフェースの光ファイバの自由端は、第二のフェルール型継手１３６に光学的に相互に接続され、これら継手１３４、１３６の各々はフレーム１３２に固着されている。第一の継手１３４の一端１３３は、光源１２０に設けられた光ポート１２２と合わさる形態とされ、第二の継手１３６の一端１３７は、システムの光ファイバ１４０の一端１４２に設けられた光カプラーと合わさる形態とされている。システムの光ファイバ１４０の他端１４４は、感知装置のハウジング１１４に形成された光ポート１１２と合わさる形態とされている。同様に、各端部インターフェースから外方に伸びる毛管の自由端を試料源からの入口管及び廃物集め箇所への廃物管の一方に流体的に相互に接続するため、当該技術分野の当業者に既知の多数の継手の任意のものとするとこができる毛管流体継手が設けられる。
【００４８】
一例としての装置における光源１２０は、流動流体又は静止流体の試料のスペクトル分析のため多数の光源の任意の１つである。例えば、光源１２０は、約１９０ｎｍ乃至約８００ｎｍの範囲を包含するスペクトル放出光を有する重水素ランプを含む光源とすることができる。
【００４９】
同様に、感知装置１１０は、分析される流体試料を通る光の伝送を感知すべく当該技術分野で既知の多数の装置の任意の１つとすることができる。一例としての装置における感知装置１１０は、流体試料中の溶液中の分析物質により吸収される光の量を感知する形態とされた吸収型検出器とすることができる。かかる検出器は、典型的に、少なくとも光源１２０のスペクトル放出光を含む範囲における所定のスペクトル範囲の光を感知するウォータズ（Ｗａｔｅｒｓ）９９６ＰＤＡのようなフォトダイオード列（ＰＤＡ）を含む。
【００５０】
上述したように、一例としての実施の形態における端部インターフェース４０の各々は、オーバ成形したＰＥＥＫであり、この場合、ＰＥＥＫ材料は、端部インターフェースハウジング４２を備え、光ファイバ４４及び毛管４６がその内部で固定状態に配置されている。また、上述したように、ＰＥＥＫが光ファイバ４４及び毛管４６を捕捉し、これにより、その間に機械的な結合及び液圧シールを形成するように成形処理工程が行われる。
【００５１】
次に、図８乃至図９を参照すると、本発明によるフローセルを形成するとき、ＰＥＥＫを接着剤で接合する処理工程は、本発明による成形した端部インターフェース４０を形成するため金型／工具８００を使用する。例えば、長さ約３０．４８ｃｍ（約１２インチ）乃至４０．６４ｃｍ（１６インチ）の光ファイバ４４及び毛管４６を金型／工具８００内に配置し、その一部分が金型／工具８００の各端部に設けられた端部通路８０２、８０４から外方に伸びるようにする。
【００５２】
ＰＥＥＫ材料は、射出成形が可能であるのに十分な温度まで加熱する。このように加熱されたとき、液体ＰＥＥＫは、多くの材料の表面を小さい接触角度にて極めて良好に浸潤化する能力を更に特徴としている。かかる材料は、ＰＥＥＫが極めて加熱される温度範囲内で固体である材料を含み、また、例えば、あらゆる型式の鋼、アルミニウム、チタンのような金属、石英、溶融二酸化ケイ素及びポリミド被覆石英ファイバのような非金属材料を含む。
【００５３】
成形後、各端部インターフェース４０の合わさる端部４１から伸びる光ファイバ４４及び毛管４６の余分な長さを合わさる端部の露出した面付近までクリートを付ける。例えば、管及びケーブルのこれらの端部は、薄い接着したダイアモンド切断ホイールにより、その切断ホイールの平面が端部部材の上昇した面の端部面に対して平行となるようにして切断する。次に、所望の合わさり特徴を有する合わさり面を提供するのに必要なように端部インターフェースの合わさり端部４１を機械加工し、表面研磨し、ラッピング加工し且つ／又は研磨する。更に、光ファイバ４４の露出した端部が所望の光学的透過度を有するように合わさり部分を研磨し且つ／又はラッピング加工する。
【００５４】
上記の方法は、フローセル本体２０に対し平滑な面を提供する完成したアセンブリを製造し、このため、１つの測定間隔から次の間隔へのキャリーオーバを生ずる分析材料の停滞の原因となる可能性のあるキャビティ又はフラッシングされない容積が何ら観察されない。更に、且つ上述したように、ＰＥＥＫ材料は、液圧シールを形成し、このため、フローセルは、組み立てたときに、顕著な作動圧力に耐えることができる。
【００５５】
本発明による改良されたフローセルの１つの代替的な実施の形態が図１０に図示されている。フローセル本体２２０は、流体がセルチャンバ２２４内に入り且つ該セルチャンバ２２４から出るための流体通路２２２を含むような形態とすることができることを理解すべきである。チャンバ２２４は、図１乃至図４の実施の形態に関して本明細書に記載したように光案内部材又は材料を含む。図１０の実施の形態において、端部インターフェース２２６は、実質的に上述したように、端部インターフェース内に係合したそれぞれの光ファイバの形態による光伝送部材２２８を含むような形態とされている。セル本体２２０の両端に配置された内部の流体通路２３０は、流体通路２２２とチャンバ２２４のそれぞれの端部との間の流体的連通を促進する。
【００５６】
図１１に図示した更なる代替的な実施の形態において、代替的な光伝送部材２４０は、セル本体２４２の端部インターフェースにて具体化可能な形態とされている。この一例としての実施の形態において、流体通路２４４は、セル本体２４２と一体化されている。光伝送部材２４０は、上述したように、クランプ止め部材又はフランジを使用することを含む、色々な方法の任意の方法にてセル本体２４２に締結することができる石英窓部として具体化されている。流体通路２４６を交差接続することは、流体通路２４４とチャンバ２４８とを流体的に連通させることを可能にする。実施例において、光をセルに向けて且つセルから伝送するため、レンズ及び／又はミラーのような従来の光学的要素が使用されている。更なる代替的な実施例において、例えば、テフロン（登録商標）ＡＦのような光案内部材又は材料が溶融二酸化ケイ素管２５０として具体化された通路の外側に配置されている。
【００５７】
光伝送部材２４０は、図１１の実施の形態において石英窓部として具体化されているが、対象とする波長範囲内で透過性がある、石英以外のその他の材料が窓部として採用可能であることを理解すべきである。
【００５８】
上記の方法は、フィルタを備えないＰＥＥＫから端部部材を形成する場合を説明するものであるが、ガラスのようなフィラーをＰＥＥＫハウジング内に組み込むことも本発明の範囲に属する。特に、ＰＥＥＫは、寸法上の安定性、収縮応力等に対処する有利な効果を有するフィラーを含むことができる。
【００５９】
光ファイバと毛管との間に機械的な結合部を形成すると同時に、その両者の間に液圧シールを形成し、そのように形成された端部材が作動圧力に耐え得るようにするため、ＰＥＥＫを使用するフローセルの端部インターフェースの形成方法について上記に説明したが、これは本発明を限定するものではない。光ファイバ及び／又は石英毛管と共に使用される多数の標準的なコネクタの任意のものを形成するため、ポリフェノールサルファイド（ＰＰＳ）のような材料を含む、ＰＥＥＫ以外の材料を使用することも本発明の範囲に属することである。
【００６０】
上述した方法の局面は、特別な成形品を別にしても、被覆し又は非被覆石英ファイバを含む多数の材料の任意のものにＰＥＥＫを接着させるために使用することができ、また、全体として、ＰＥＥＫを使用して１つ又は２つ以上の物品間で機械的な結合及び／又は液圧シールを形成するために使用することができることを理解すべきである。
【００６１】
本発明のフローセルは、高速液体クロマトグラフィ（ＨＰＬＣ）、毛管液体クロマトグラフィ（毛管ＬＣ）及び毛管電気泳動（ＣＥ）にて使用されるような液体吸収検出器装置内で使用する場合に関して説明したが、流動試料又は静止試料と共に、蛍光又はラーマン分光法又は測光法に使用すべく本明細書に記載したのと同一の基本的な構造を有するフローセルも本発明の範囲に属するものである。
【００６２】
本明細書に記載した一例としての実施の形態は、ランプ、フローセル、光学素子（すなわち、回折格子）及び検出器をその順序にて含むが、本発明によるフローセルは、別の代替的な形態にて具体化することが可能であり、例えば、光源とフローセルとの間に回折格子を配置し又は回折格子を含めず、また、その他の光学素子（例えば、フィルタ）を使用して光を検出器の上に収束させることが可能であることも理解すべきである。
【００６３】
同様に、この形態と共にフォトダイオード列又は単一のフォトダイオードを採用することができ且つ／又は回折格子又はフィルタのような光学素子を不要にする、指向された光源としてレーザを採用することもできることを理解すべきである。
【００６４】
その一例としての実施の形態に関して本発明を図示し且つ説明したが、特許請求の範囲に記載した本発明の精神及び範囲から逸脱せずに、その形態及び細部の点で上記及びその他の色々な変更、省略及び追加が具体化可能であることも理解されよう。
【図１】
2011169904.tif 000003
【図２】
2011169904.tif 000004
【図３】
2011169904.tif 000005
【図４】
2011169904.tif 000006
【図５Ａ】
2011169904.tif 000007
【図５Ｂ】
2011169904.tif 000008
【図６Ａ】
2011169904.tif 000009
【図６Ｂ】
2011169904.tif 000010
【図７】
2011169904.tif 000011
【図８】
2011169904.tif 000012
【図９】
2011169904.tif 000013
【図１０】
2011169904.tif 000014
【図１１】
2011169904.tif 000015
【手続補正書】
【提出日】平成23年4月18日(2011.4.18)
【手続補正１】
【補正対象書類名】特許請求の範囲
【補正対象項目名】全文
【補正方法】変更
【補正の内容】
【特許請求の範囲】
【請求項１】
流体試料を収容すると共に、分析のため流体試料を光線で照射するフローセルにおいて、
第一の端部と、第二の端部と、該第一及び第二の端部間に延びる光案内部材と、を有するフローセル本体にして、前記光案内部材が流体を受けるための貫通穴を画成している、フローセル本体と、
前記フローセル本体の前記第一の端部に近接して配置された第一の端部インターフェース及び前記フローセル本体の前記第二の端部に近接して配置された第二の端部インターフェースであって、その各々が、光伝送部材及び流体伝導部材を有するインターフェースハウジングを備える、前記第一の端部インターフェース及び前記第二の端部インターフェースと、
前記第一の端部インターフェース及び前記第二の端部インターフェースをそれぞれ前記第一の端部及び第二の端部と整合するようにして該第一の端部及び第二の端部に締結する、第一の端部クランプ止め部材及び第二の端部クランプ止め部材にして、該締結により、前記流体伝導部材は前記貫通穴と流体連通し、前記光伝送部材は前記貫通穴と光学的に連通するようになされている、前記第一の端部クランプ止め部材及び第二の端部クランプ止め部材と、
を備える、フローセル。
【請求項２】
請求項１のフローセルにおいて、前記第一の端部クランプ止め部材及び前記第二の端部クランプ止め部材の各々が、前記第一の端部インターフェース及び前記第二の端部インターフェースを前記フローセル本体に機械的に締結する締結具を受け入れる穴を有する、フローセル。
【請求項３】
請求項１のフローセルにおいて、前記光案内部材が、前記流体試料の屈折率よりも小さい屈折率を有する非結晶フルオロポリマーで出来ている、フローセル。
【請求項４】
請求項１のフローセルにおいて、前記貫通穴を前記第一の端部インターフェース及び第二の端部インターフェースの前記流体伝導部材のそれぞれ１つと流体的に連通させる形態とされた少なくとも１つの内側流体通路を更に備える、フローセル。
【請求項５】
請求項１のフローセルにおいて、前記フローセル本体がポリエーテルエーテルケトン材料を含んでいる、フローセル。
【請求項６】
請求項１のフローセルにおいて、前記光案内部材がテトラフルオロエチレンを有する過フッ素−２，２−ジメチル−１，３−ジオキソールの非結晶共重合体で出来た管状部材である、フローセル。
【請求項７】
請求項１のフローセルにおいて、前記光案内部材を囲むハウジングを更に含む、フローセル。
【請求項８】
請求項１のフローセルにおいて、前記光伝送部材が光ファイバである、フローセル。
【請求項９】
請求項１のフローセルにおいて、前記流体伝導部材が毛管である、フローセル。
【請求項１０】
請求項１のフローセルにおいて、前記インターフェースハウジングが、前記光伝送部材及び前記流体伝送部材を捕捉するポリエーテルエーテルケトンのオーバ成形品である、フローセル。
【請求項１１】
フローセルの製造方法において、
第一及び第二の端部インターフェースにして、各々が光伝送部材と、流体伝導部材と、前記光伝送部材及び前記流体伝導部材の各々を捕捉するインターフェースハウジングとを有する第一及び第二の端部インターフェースを形成するステップと、
第一の端部と、第二の端部と、該第一の端部及び第二の端部間に延びる光案内部材にして、流体を受ける貫通穴を画成している光案内部材とを有するフローセル本体を形成するステップと、
前記第一の端部インターフェース及び前記第二の端部インターフェースを、それぞれ第一の端部クランプ止め部材及び第二の端部クランプ止め部材によって前記フローセル本体に固着し、それによって、前記流体伝導部材を前記貫通穴と流体連通させ、前記光伝送部材を前記貫通穴と光学的に連通させるステップと、
を備える、製造方法。
【請求項１２】
請求項１１の方法において、前記光伝送部材が光ファイバを備え、前記流体伝導部材が毛管を備える、方法。
【請求項１３】
請求項１１の方法において、前記光案内部材がテトラフルオロエチレンを有する過フッ素−２，２−ジメチル−１，３−ジオキソールの非結晶共重合体で出来た管状部材である、方法。
【請求項１４】
請求項１１の方法において、前記フローセル本体がポリエーテルエーテルケトン材料を含んでいる、方法。
【請求項１５】
流体試料を分析する装置において、
光源と、
光線を感知する感知装置と、
分析のため流体試料を前記光源からの光線で照射すべく流体試料を収容するフローセルを含むフローセルアセンブリと、を備え、
前記フローセルが、
第一の端部と、第二の端部と、該第一及び第二の端部間に延びる光案内部材と、を有するフローセル本体にして、前記光案内部材が流体を受けるための貫通穴を画成している、フローセル本体と、
前記フローセル本体の前記第一の端部に近接して配置された第一の端部インターフェース及び前記フローセル本体の前記第二の端部に近接して配置された第二の端部インターフェースであって、その各々が、光伝送部材及び流体伝導部材を有するインターフェースハウジングを備える、第一の端部インターフェース及び第二の端部インターフェースと、
前記第一の端部インターフェース及び前記第二の端部インターフェースをそれぞれ前記第一の端部及び第二の端部と整合するようにして該第一の端部及び第二の端部に締結する、第一の端部クランプ止め部材及び第二の端部クランプ止め部材にして、該締結により、前記流体伝導部材は前記貫通穴と流体連通し、前記光伝送部材は前記貫通穴と光学的に連通するようになされている、前記第一の端部クランプ止め部材及び第二の端部クランプ止め部材と、
を備える、装置。
【請求項１６】
請求項１５の流体試料を分析する装置において、前記光案内部材がテトラフルオロエチレンを有する過フッ素−２，２−ジメチル−１，３−ジオキソールの非結晶共重合体から成る管状部材である、装置。
【請求項１７】
請求項１５の流体試料を分析する装置において、前記フローセル本体がポリエーテルエーテルケトン材料を含んでいる、装置。
【外国語明細書】
2011169904000001.pdf